(57)【要約】【課題】ゴミ袋の強度が保持されていると共に、目の不自由な人が、識別のための規則性を知らなくても、どの分別用の袋であるか確実に判別することができる。【解決手段】左右両側に内方に折り込まれたガゼット１２，１２を有する筒状の袋体１４の上端と下端を封鎖し、袋体１４の上端よりその両側のガゼットの内側を切断するように縦方向に切り込んで上部中央部を開口し、袋体の上端両側に手提げ用の輪状部１６，１６を形成している合成樹脂シートからなるゴミ袋１０において、輪状部に、点字を模して孔をあけた盲人読解記号１８が設けられている。【選択図】  図１
2006248706.tif 000002
【特許請求の範囲】
【請求項１】
左右両側に内方に折り込まれたガゼットを有する筒状の袋体の上端と下端を封鎖し、該袋体の上端よりその両側のガゼットの内側を切断するように縦方向に切り込んで上部中央部を開口し、袋体の上端両側に手提げ用の輪状部を形成している合成樹脂シートからなるゴミ袋において、
前記輪状部に、点字を模して孔をあけた盲人読解記号が設けられていることを特徴とするゴミ袋。
【請求項２】
前記盲人読解記号の孔の周縁には、合成樹脂シートが一方向に隆起した筒状突起部が形成されていることを特徴とする請求項１記載のゴミ袋。
【発明の詳細な説明】
【技術分野】
【０００１】
本発明は、合成樹脂シートからなるゴミ袋に関する。
【背景技術】
【０００２】
家庭からでるゴミは、分別して指定されたゴミ袋で出すことが義務付けられている。指定のゴミ袋は、例えば「燃えるごみ」用と「燃えないごみ」用とが簡単に識別できるように、袋の表面に印刷された文字と色を異ならせてつくられている。しかし、目の不自由な人にとってはこの表示だけでは識別できない。
このことから、目の不自由な人がゴミ袋を識別できるような工夫が従来から種々提案されている。例えば、特許文献1においては、ゴミ袋を収容する収容袋に盲人用の識別孔を設けるといった提案がなされ、また、他の例としては、ゴミ袋に直接識別用の孔を設けるといったことも提案されている。図４は、ゴミ袋に識別用の孔が設けられた一例を示したものである。
【０００３】
図４に示すゴミ袋１００は、開口上部の中央部に一対の舌片１０２，１０２が形成され、開口上部の両側部に手提用の輪状部１０４，１０４が設けられた袋である。このゴミ袋１００には、舌片１０２に識別用の孔１０６が設けられ、目の不自由な人は、この舌片１０２を触って、どの種のゴミを収納するためのゴミ袋であるかを判別できるようにしている。
【特許文献１】登録実用新案公報第３０３９８３７号
【発明の開示】
【発明が解決しようとする課題】
【０００４】
しかし、ゴミ袋１００の舌片１０２，１０２は、内部にゴミを入れた後、縛ることに用いることから、舌片１０２，１０２に孔１０６があいていると強度が落ちて縛る際に千切れてしまう場合がある。
また、舌片１０２に設けられた孔１０６を触って識別するには、予め、「燃えるごみ」用を表わす孔１０６の形状と「燃えないごみ」用を表わす孔１０６の形状を知っている必要がある。しかし、識別するための孔の形状を忘れてしまったり知らなかったりすると、識別できないという問題があった。
【０００５】
そこで、本発明はこれらの課題を解決すべくなされたものであり、その目的とするところは、ゴミ袋の強度が保持されていると共に、目の不自由な人が、初めてゴミ袋を使用する場合であってもどの種のゴミを収容するための袋であるかを確実に判別することができるゴミ袋を提供することにある。
【課題を解決するための手段】
【０００６】
上記目的を達成するため、本発明は次の構成を備える。
すなわち、左右両側に内方に折り込まれたガゼットを有する筒状の袋体の上端と下端を封鎖し、該袋体の上端よりその両側のガゼットの内側を切断するように縦方向に切り込んで上部中央部を開口し、袋体の上端両側に手提げ用の輪状部を形成している合成樹脂シートからなるゴミ袋において、前記輪状部に、点字を模して孔をあけた盲人読解記号が設けられていることを特徴とする。
更に好ましくは、前記盲人読解記号の孔の周縁には、合成樹脂シートが一方向に隆起した筒状突起部が形成されていることを特徴とする。
【発明の効果】
【０００７】
本発明は、ゴミ袋に点字を模して孔をあけた盲人読解記号を設けることで、孔の配置を認識して点字を読むことによって、識別するための規則性を知らなくてもどの分別用の袋であるか確実に判別することができる。また、孔は、合成樹脂シートが４枚重なった輪状部に設けられていることから、ゴミ袋の強度が落ちない等の著効を奏する。
【発明を実施するための最良の形態】
【０００８】
以下、本発明の好適な実施の形態について詳細に説明する。
図１は、本発明に係るゴミ袋の一実施形態の構成を示す斜視図である。
図１に示すように、本実施形態のゴミ袋１０は、左右両側に折り込まれたガゼット１２，１２を有する筒状の袋体１４の上端１４ａと下端１４ｂを封鎖し、袋体１４の上端１４ａよりその両側のガゼット１２，１２の内側を切断するように縦方向に切り込んで上端中央部に開口部１４ｃを設け、袋体１４の上端両側に手提げ用の輪状部１６，１６が形成されている合成樹脂製の横ガゼット袋である。
【０００９】
このゴミ袋１０には、どの種のゴミを収容する袋であるのかを目の不自由な人が識別できるように、盲人読解記号１８が付されている。本実施形態の盲人読解記号１８は、点字を模したものであり、点字の各凸状点の位置に孔２０・・をあけて記号化されたものを並べて表記したものである。図２に示すように、本実施形態のゴミ袋１０においては、点字の表記にしたがって「ふねんぶつ」と読解できるように孔２０・・があけられた盲人読解記号１８が付されている。
【００１０】
このように、ゴミ袋１０に盲人読解記号１８を設けることで、目の不自由な人は、ゴミ袋１０を触って盲人読解記号１８の孔２０・・を認識しながら読解することによってどの種のゴミを収容するのに用いるゴミ袋１０であるかを判別することができる。
このため、従来では、図４に示すように、ゴミ袋１００に付された識別用の孔１０６の形状を予め認識していないと判別できなかったものを、本実施形態においては、初めてゴミ袋を使用する人であっても、点字を読むことができれば手にしたゴミ袋１０がどの種のゴミ分別用のものであるかを確実に判別することができるようになる。
【００１１】
なお、通常使用されている点字は、大きさや点と点の間隔が規定されているものであるが、本発明における点字を模した盲人読解記号１８においては、点字の規定どおりの大きさに形成することに限定されるものではなく、適宜大きさを変えて設けることであっても良い。
【００１２】
上記盲人読解記号１８は、図１に示すように、ゴミ袋１０の輪状部１６に設けられている。ゴミ袋１０の輪状部１６は、袋体１４側部に設けられたガゼット１２の上部に設けられて、２枚の合成樹脂シートが重なった状態で輪状に形成されており、ゴミ袋１０を折り畳んだ状態では４枚の合成樹脂シートが重なって設けられている。このため、盲人読解記号１８が設けられていても、合成樹脂シートの４枚の重なりによって補強されていることから輪状部16の強度は落ちない。
また、盲人読解記号１８が、ゴミ袋１０のゴミ収容部ではなく手提げ用の輪状部１６に設けられていることから、被収容物に水分が含まれていても水分が孔２０から外に漏れる心配がない。
さらに、図４に示す従来のゴミ袋１００は、ゴミ袋を縛った後では舌片１０２を触って判別するのが困難であったが、本実施形態のゴミ袋１０では、輪状部１６に盲人読解記号１８が設けられていることからゴミ袋を縛った後でも輪状部１６を触って判別することができる。
【００１３】
本実施形態において盲人読解記号１８の孔２０・・は、例えば、表面に針状物を備えるロールによるエンボス加工によって形成される。図３は、盲人読解記号１８の孔２０を拡大した断面図である。
図３に示すように、エンボス加工により合成樹脂シートに孔２０が付されると、針状物の先端が抜ける一方向側に合成樹脂シートが隆起して、孔２０の周縁に筒状の突起部２２が形成される。
このように盲人読解記号１８の孔２０の周囲に筒状突起部２２が設けられると、目の不自由な人は筒状突起部２２が手がかりとなって孔２０を認識しやすくなり、盲人読解記号１８をより読みやすくすることができる。
【００１４】
そして、本実施形態においては、合成樹脂シートが４枚重なった輪状部１６に、４枚のシートを貫通して孔２０が設けられていることから、シート１枚に付した場合に比べて筒状突起部２２を高く形成することができる。すなわち、シート一枚では筒状突起部２２の隆起度合いが小さいが、図３に示すように、第一のシート２４の隆起した第一の隆起部２３ａの上でさらに隆起部２３ｂが隆起すると、第一の隆起部２３ａよりも高く形成される。このため、４枚のシートの重なりによる隆起の連鎖によって、最外側の隆起部２３ｃを高く隆起させ筒状突起部２２を高く形成し、孔２０を識別しやすくすることができる。
【００１５】
なお、ゴミ袋１０を形成する合成樹脂としては、適宜選択することでよいが、例えばポリエチレンなどの熱可塑性樹脂等を用いることで良い。
さらに、本実施形態においては、片方の輪状部にのみに盲人読解識別記号１８を設けているが、本発明においてはこれに限定されるものではなく、両側の輪状部１６に盲人読解記号１８を設けるようにしても良い。
【産業上の利用可能性】
【００１６】
本発明のゴミ袋１０は、ゴミ分別用の収納袋として有益である。
【図面の簡単な説明】
【００１７】
【図１】本発明に係るゴミ袋の一実施形態の構成を示す斜視図である。
【図２】図１に示すゴミ袋の輪状部に付された盲人読解記号を拡大した拡大図である。
【図３】図１に示すゴミ袋に付された盲人読解記号の孔を拡大した拡大図である。
【図４】従来のゴミ袋の一例を示す斜視図である。
【符号の説明】
【００１８】
１０  ゴミ袋
１２  ガゼット
１４  袋体
１６  輪状部
１８  盲人読解記号
２０  孔
２２  筒状突起部
【図１】
2006248706.tif 000003
【図２】
2006248706.tif 000004
【図３】
2006248706.tif 000005
【図４】
2006248706.tif 000006